(57)【要約】【課題】換気装置の設置現場の換気風量が所定の換気風量を満たしているかどうか使用者が確認する際、換気風量の測定を簡単に精度良く行うことができる換気装置を提供することを目的とする。【解決手段】本発明の換気装置は、室内の換気を行う換気装置であって、室内の空気を吸い込む吸込口と、吸込口から吸い込まれた空気の少なくとも一部を外部へ排出する排出流路と、吸込口から吸い込まれた空気に流れを発生させるファンと、設定された前記ファンの回転数になるように前記ファンの回転数を制御する回転数制御手段と、ファンの駆動時におけるファンの回転数を検出する回転数検出手段と、回転数検出手段が検出したファンの回転数が基準値に対して所定の範囲内にある時に、ファンの回転数が安定状態であることを使用者に報知する報知手段と、を備えることを特徴とする。【選択図】図１
2014190651.tif 000002
【特許請求の範囲】
【請求項１】
室内の換気を行う換気装置であって、
前記室内の空気を吸い込む吸込口と、
前記吸込口から吸い込まれた空気の少なくとも一部を外部へ排出する排出流路と、
前記吸込口から吸い込まれた空気に流れを発生させるファンと、
設定された前記ファンの回転数になるように前記ファンの回転数を制御する回転数制御手段と、
前記ファンの駆動時における前記ファンの回転数を検出する回転数検出手段と、
前記回転数検出手段が検出した前記ファンの回転数が基準値に対して所定の範囲内にある時に、前記ファンの回転数が安定状態であることを使用者に報知する報知手段と、を備えることを特徴とする換気装置。
【請求項２】
室内の換気を行う換気装置であって、
前記室内の空気を吸い込む吸込口と、
前記吸込口から吸い込まれた空気の少なくとも一部を外部へ排出する排出流路と、
前記吸込口から吸い込まれた空気に流れを発生させるファンと、
設定された前記ファンの回転数になるように前記ファンの回転数を制御する回転数制御手段と、
前記ファンの駆動時における前記ファンの回転数を検出する回転数検出手段と、
前記回転数検出手段が検出した前記ファンの回転数の単位時間あたりの変化量が所定の範囲内にある時に、前記ファンの回転数が安定状態であることを使用者に報知する報知手段と、を備えることを特徴とする換気装置。
【請求項３】
前記報知手段は、換気運転を操作する操作部を有するコントローラに設けられることを特徴とする請求項１又は請求項２に記載の換気装置。
【請求項４】
前記コントローラには、前記ファンの回転数が安定状態であることを表示する表示部が設けられることを特徴とする請求項３に記載の換気装置。
【請求項５】
前記コントローラに対して裏操作指示を行うことで、前記裏操作指示に基づき前記表示部に前記ファンの回転数が安定状態であることを表示することを特徴とする請求項３又は請求項４に記載の換気装置。
【請求項６】
前記裏操作指示に基づき前記表示部に表示される前記ファンの回転数が安定状態であることは、前記表示部に表示されて所定時間が経過後に消えることを特徴とする請求項５に記載の換気装置。
【発明の詳細な説明】
【技術分野】
【０００１】
本発明の態様は、一般的に、室内の換気を行う換気装置に関する。
【背景技術】
【０００２】
例えば、室内の換気を行う換気装置として、室内の空気を吸引して室外へと排出するものが知られている。このような換気装置には、低風量で２４時間室内の換気を行う常時換気機能や、排気ダクトによる圧力損失又は建物外壁の排気口へ吹き込む外風圧などに対応して換気ファンの回転数制御を行う換気風量一定制御機能などを搭載するものがある。
【０００３】
これらの機能を搭載する換気装置は、制御部からの電気的信号によりファンの回転数を目標回転数になるようにファンの制御が行われているため、瞬間的にファンの回転数を目標回転数にさせることが可能である。しかしながら、そのようなファンの制御が行われている時に、強い吹き込みなどが発生してファンの圧力損失が増加した場合、ファンの回転数が急上昇した後直に急下降するといった現象が繰り返し発生する。その結果、ファンの動作音に脈動が生じてしまい、それを聞いた使用者に不快感を与えてしまうという心配がある。
【０００４】
上記の不具合を解消するために、これらの機能を搭載する換気装置は、ファンの回転数を目標回転数になるようにファンの制御が行われている時に、所定の時間に所定の回転数まで繰り返して段階的に上げることで目標回転数に近づけている。また、現在の回転数と目標回転数の差が大きい場合は、所定の回転数を大きくし、現在の回転数と目標回転数の差が小さい場合は、所定の回転数を小さくすれば、目標回転数に到達するまでの時間、すなわちファンの回転数が安定状態になるまでの時間がかかりすぎるという不具合も解消できる。
【先行技術文献】
【特許文献】
【０００５】
【特許文献１】特開２００８−０４５７５６号公報
【発明の概要】
【発明が解決しようとする課題】
【０００６】
これらの機能を搭載する換気装置は、設置現場に換気装置を取付けた際に、これらの機能が発揮できる状態であるか検査するために、換気装置の設置現場の換気風量が所定の換気風量を満たしているかどうか確認する必要がある。
【０００７】
しかしながら、換気風量の検査を行う者が、どのタイミングで換気風量を測定していいのか分かりにくく、換気ファンの回転数が安定していないにも関わらず換気風量の測定を行ってしまうこともあり、換気風量の測定を簡単に精度良く行うのが難しいという課題があった。
【０００８】
本発明は、このような課題に鑑みてなされたものであり、その目的は、換気装置の設置現場の換気風量が所定の換気風量を満たしているかどうか使用者が確認する際、換気風量の測定を簡単に精度良く行うことができる換気装置を提供することにある。
【０００９】
上記課題を解決するために本発明に係る換気装置は、室内の換気を行う換気装置であって、前記室内の空気を吸い込む吸込口と、前記吸込口から吸い込まれた空気の少なくとも一部を外部へ排出する排出流路と、前記吸込口から吸い込まれた空気に流れを発生させるファンと、設定された前記ファンの回転数になるように前記ファンの回転数を制御する回転数制御手段と、前記ファンの駆動時における前記ファンの回転数を検出する回転数検出手段と、前記回転数検出手段が検出した前記ファンの回転数が基準値に対して所定の範囲内にある時に、前記ファンの回転数が安定状態であることを使用者に報知する報知手段と、を備えることを特徴とする。また、本発明に係る換気装置は、室内の換気を行う換気装置であって、前記室内の空気を吸い込む吸込口と、前記吸込口から吸い込まれた空気の少なくとも一部を外部へ排出する排出流路と、前記吸込口から吸い込まれた空気に流れを発生させるファンと、設定された前記ファンの回転数になるように前記ファンの回転数を制御する回転数制御手段と、前記ファンの駆動時における前記ファンの回転数を検出する回転数検出手段と、前記回転数検出手段が検出した前記ファンの回転数の単位時間あたりの変化量が所定の範囲内にある時に、前記ファンの回転数が安定状態であることを使用者に報知する報知手段と、を備えることを特徴とする。
【００１０】
本発明の換気装置では、回転数検出手段が検出したファンの回転数が基準値に対して所定の範囲内にある時に、又は回転数検出手段が検出したファンの回転数の単位時間あたりの変化量が所定の範囲内にある時に、ファンの回転数が安定状態であることを使用者に報知する報知手段を備えるため、換気装置の設置現場の換気風量が所定の換気風量を満たしているかどうか使用者が確認する際、換気風量の測定を簡単に精度良く行うことができる。ここで、「使用者」については、換気装置を使用する者だけでなく、例えば、換気装置の施工作業やメンテナンスを行う者も含むとする。
【００１１】
また、本発明に係る換気装置では、前記報知手段は、換気運転を操作する操作部を有するコントローラに設けられることを特徴とすることも好ましい。
【００１２】
この好ましい態様では、使用者が換気風量を測定する時に、ファンの回転数が安定状態であることを使用者に報知する報知手段が、コントローラの換気運転を操作する操作部と共に設けられているので、ファンの回転数が安定状態である旨を使用者が簡単に把握しやすい。
【００１３】
また、本発明に係る換気装置では、前記コントローラには、前記ファンの回転数が安定状態であることを表示する表示部が設けられることを特徴とすることも好ましい。
【００１４】
この好ましい態様では、使用者がコントローラの表示部を目視で確認しながら、換気風量の測定のタイミングを決定することが可能となるので、使用者が換気風量の測定をより簡単に行うことができる。
【００１５】
また、本発明に係る換気装置では、前記コントローラに対して裏操作指示を行うことで、前記裏操作指示に基づき前記表示部に前記ファンの回転数が安定状態であることを表示することを特徴とすることも好ましい。
【００１６】
この好ましい態様では、ファンの回転数が安定状態である旨の表示を、使用者が換気風量を測定する時に表示させ、通常の使用時には表示されないため、通常の使用時における使用者の不必要な混乱を避けることが可能で使用者の使い勝手が良い。ここで、「裏操作指示」とは、コントローラに対する通常の操作ではなく、コントローラに対する通常の操作以外の操作である。
【００１７】
また、本発明に係る換気装置では、前記裏操作指示に基づき前記表示部に表示される前記ファンの回転数が安定状態であることは、前記表示部に表示されて所定時間が経過後に消えることを特徴とすることも好ましい。
【００１８】
この好ましい態様では、ファンの回転数が安定状態である旨の表示を使用者が解除し忘れたとしても、所定時間が経過することによって、通常の使用状態に復帰するので、使用者の作業性を向上させることができる。
【発明の効果】
【００１９】
本発明によれば、換気装置の設置現場の換気風量が所定の換気風量を満たしているかどうか使用者が確認する際、換気風量の測定を簡単に精度良く行うことができる。
【図面の簡単な説明】
【００２０】
【図１】本実施形態にかかる換気装置を浴室に取り付けた状態を模式的に示す図である。
【図２】本実施形態にかかる換気装置の要部構成を表すブロック図である。
【図３】本実施形態にかかる換気装置の要部構成を表すブロック図である。
【図４】本実施形態にかかる換気装置の断面を示す断面図である。
【図５】本具体例の暖房運転時におけるダンパの位置を表す模式的断面図である。
【図６】本具体例の温風乾燥運転および涼風乾燥運転時のダンパの位置を表す模式的断面図である。
【図７】本具体例の換気運転時のダンパの位置を表す模式的断面図である。
【図８】本実施形態にかかる浴室乾燥装置の断面を示す断面図である。
【図９】本実施形態にかかる換気装置のコントローラを示す図である。
【図１０】本実施形態にかかる換気装置の動作の具体例を表すタイミングチャート図である。
【図１１】本実施形態にかかる報知手段の動作の具体例を表す模式的概略図である。
【図１２】本実施形態にかかる報知手段の動作の具体例を表す模式的概略図である。
【発明を実施するための形態】
【００２１】
以下、添付図面を参照しながら本発明の実施の形態について説明する。説明の理解を容易にするため、各図面において同一の構成要素に対しては可能な限り同一の符号を付して、重複する説明は省略する。
【００２２】
本発明の実施形態に係る換気装置の浴室乾燥装置は、浴室内の空気を吸い込みヒータを経由させて浴室方向に吹き出す「暖房運転」と、浴室内の空気を吸い込みその一部はヒータを経由させて浴室方向に吹き出しながら、残りの空気は浴室外に排出する「乾燥運転」と、浴室内の空気を吸い込み浴室外に排出する「換気運転」と、を備える。
【００２３】
この浴室乾燥装置の配置態様について図１を参照しながら説明する。図１に示すように、浴室乾燥装置１００は、浴室１０の天井１１に取り付けられるものである。浴室乾燥装置１００は、浴室１０内の空気を吸い込みヒータ（図１においては明示しない）を経由させて浴室１０方向に空気を吹き出すことができる。また、浴室乾燥装置１００は、浴室１０内の空気を吸い込み、少なくともその一部をダクト１２を通して浴室外に排出することもできる。
【００２４】
上記の通り乾燥モードは、浴室１０内の空気を吸い込みその一部はヒータを経由させて浴室１０の方向に吹き出しながら、残りの空気は浴室１０外に排出する運転モードである。この乾燥モードにおいて浴室乾燥装置１００は、ヒータを経由させた空気を浴室１０の方向に吹き出すため、浴室１０内の気温は上昇する。
【００２５】
また、浴室１０から吸い込まれた空気の一部は、浴室１０内の水蒸気と共に浴室１０外に排出される。その結果、浴室１０内の湿度は効率的に低下することとなり、浴室乾燥装置１００の下方に洗濯後の衣類を吊り下げた状態で乾燥モードによる運転を行えば、浴室１０の壁面と共に衣類も短時間で乾燥させることができる。
【００２６】
本実施形態にかかる浴室乾燥装置１００は、例えば、浴室１０のみの換気を行う「１ファンタイプ」などと呼ばれる浴室乾燥装置１００ａと、浴室１０と浴室１０に隣接する洗面所やトイレなどとの換気を行う「２ファンタイプ」などと呼ばれる浴室乾燥装置１００ｂと、に分類される。
【００２７】
図２に表したように、「１ファンタイプ」の浴室乾燥装置１００ａは、内部流路１２５と、センサ１３１と、ファン１３３と、ダンパ１３５と、ヒータ１３７と、排出経路１２７と、制御手段１１０と、を備える。内部流路１２５は、空気を吸い込む吸込口１２１と空気を吹き出す吹出口１２３とを連通し、吸込口１２１から吸い込まれた空気を吹出口１２３へ導くことができる。ファン１３３は、吸込口１２１から空気を吸い込み、吸込口１２１から吸い込まれた内部流路１２５の空気に流れを発生させる。
【００２８】
ダンパ１３５は、適宜駆動することにより、ファン１３３から送られてきた空気を吹出口１２３へ向かう内部流路１２５へ送る割合と、排出経路１２７へ送る割合と、を変更する。排出経路１２７は、ダンパ１３５において内部流路１２５から分岐し、吸込口１２１から吸い込まれた内部流路１２５の空気の少なくとも一部を浴室１０の外部へ排出する。センサ１３１は、内部流路１２５を流れる空気の温度を検出することができる。制御手段１１０は、ファン１３３と、ダンパ１３５と、ヒータ１３７と、の動作を制御することができる。
【００２９】
図４は、本実施形態の浴室乾燥装置の具体例を例示する模式的断面図である。本具体例の浴室乾燥装置１００ａは、図２に関して前述したいわゆる「１ファンタイプ」の浴室乾燥装置である。図４〜図７に表したように、本具体例の浴室乾燥装置１００ａは、筐体１０１と、内部流路１２５と、センサ１３１と、ファン１３３と、ダンパ１３５と、ヒータ１３７と、排出経路１２７と、を備える。内部流路１２５と、センサ１３１と、ファン１３３と、ダンパ１３５と、ヒータ１３７と、排出経路１２７と、は、筐体１０１の内部に設けられている。
【００３０】
ここで、浴室乾燥装置１００ａが「暖房運転」を実行する場合には、図５に表したように、ダンパ１３５は、排出経路１２７を塞いでいる。そのため、図５に表した矢印Ａ１２のように、吸込口１２１から吸い込まれた内部流路１２５の空気の全てが吹出口１２３へ向かう内部流路１２５へ導かれる。そして、吹出口１２３へ向かう空気は、ヒータ１３７により暖められて温風として浴室１０の内部に送り込まれる。つまり、浴室乾燥装置１００ａが「暖房運転」を実行する場合には、浴室１０の内部の空気の換気は行われない。
【００３１】
また、浴室乾燥装置１００ａが「温風乾燥運転」および「涼風乾燥運転」を有する「乾燥運転」を実行する場合には、図６に表したように、ダンパ１３５は、排出経路１２７の一部を開放している。そのため、図６に表した矢印Ａ１３のように、吸込口１２１から吸い込まれた内部流路１２５の空気の一部は、排出経路１２７へ導かれ浴室１０の外部へ排出される。また、図６に表した矢印Ａ１４のように、吸込口１２１から吸い込まれた内部流路１２５の空気の他の一部は、吹出口１２３へ向かう内部流路１２５へ導かれる。
【００３２】
浴室乾燥装置１００ａが「乾燥運転」を実行する場合には、吸込口１２１から吸い込まれた内部流路１２５の空気の一部を換気する。「温風乾燥運転」の場合には、吹出口１２３へ向かう空気は、ヒータ１３７により暖められて温風として浴室１０の内部に送り込まれる。「涼風乾燥運転」の場合には、制御手段１１０がヒータの出力を停止し、吹出口１２３へ向かう空気は、ヒータ１３７で暖められず涼風として浴室１０の内部に送り込まれる。
【００３３】
また、浴室乾燥装置１００ａが「換気運転」を実行する場合には、図７に表したように、ダンパ１３５は、排出経路１２７を全開とし、吹出口１２３へ向かう内部流路１２５を塞いでいる。そのため、図７に表した矢印Ａ１５のように、吸込口１２１から吸い込まれた内部流路１２５の空気の全てが排出経路１２７へ導かれ浴室１０の外部へ排出される。
【００３４】
図３は、本実施形態にかかる浴室乾燥装置の要部構成を表すブロック図である。また、図８は、本実施形態の浴室乾燥装置の具体例を例示する模式的断面図である。本具体例の浴室乾燥装置１００ｂは、図３に示したいわゆる「２ファンタイプ」の浴室乾燥装置である。図８に表したように、本具体例の浴室乾燥装置１００ｂは、第１の筐体１０１ａと、第２の筐体１０１ｂと、内部流路１２５と、センサ１３１と、循環用ファン１３３ａと、換気用ファン１３３ｂと、ダンパ１３５と、ヒータ１３７と、排出経路１２７と、を備える。
【００３５】
内部流路１２５と、センサ１３１と、循環用ファン１３３ａと、ヒータ１３７と、は、第１の筐体１０１ａの内部に設けられている。また、換気用ファン１３３ｂと、排出経路１２７と、は、第２の筐体１０１ｂの内部に設けられている。また、ダンパ１３５は、第１の筐体１０１ａと第２の筐体１０１ｂとの接続部に設けられている。
【００３６】
第１の筐体１０１ａと第２の筐体１０１ｂとは、図示しない接続口により互いに連通している。そのため、例えば、図８に表したダンパ１３５ｂおよびダンパ１３５ｃのように、ダンパ１３５が開いている場合には、吸込口１２１から吸い込まれた内部流路１２５の空気の少なくとも一部は、排出経路１２７へ流れることができる。その他の構成および構造は、図３に示した通りである。
【００３７】
ここで、浴室乾燥装置１００ｂが「暖房運転」を実行する場合には、図８に表したダンパ１３５ａのように、ダンパ１３５は、接続口および排出経路１２７を塞いでいる。そのため、図８に表した矢印Ａ２１のように、吸込口１２１から吸い込まれた内部流路１２５の空気の全てが吹出口１２３へ向かう内部流路１２５へ導かれる。その他の空気の流れは、図４に関して前述した「１ファンタイプ」の浴室乾燥装置１００ａの「暖房運転」における空気の流れと同様である。
【００３８】
また、浴室乾燥装置１００ｂが「温風乾燥運転」および「涼風乾燥運転」を実行する場合には、図８に表したダンパ１３５ｂのように、ダンパ１３５は、接続口および排出経路１２７の一部を開放している。そのため、吸込口１２１から吸い込まれた内部流路１２５の空気の一部は、排出経路１２７へ導かれ、第２の筐体１０１ｂに設けられた排気用接続口１２９を通して浴室１０の外部へ排出される。その他の空気の流れは、図６に関して前述した「１ファンタイプ」の浴室乾燥装置１００ａの「温風乾燥運転」および「涼風乾燥運転」における空気の流れと同様である。
【００３９】
また、浴室乾燥装置１００ｂが「換気運転」を実行する場合には、図８に表したダンパ１３５ｃのように、ダンパ１３５は、接続口および排出経路１２７を全開としている。そのため、吸込口１２１から吸い込まれた内部流路１２５の空気の全てが排出経路１２７へ導かれ、排気用接続口１２９を通して浴室１０の外部へ排出される。
【００４０】
なお、第２の筐体１０１ｂには、排気用接続口１２９と、吸気用接続口１２８と、が設けられている。前述したように、排出経路１２７へ導かれた空気は、排気用接続口１２９を通して浴室１０の外部へ排出される。また、浴室１０に隣接する洗面所やトイレなどから吸い込まれた空気は、吸気用接続口１２８を通して筐体１０１ｂの内部へ導かれ、換気用ファン１３３ｂにより排気用接続口１２９を通して浴室１０の外部へ排出される。
【００４１】
本実施形態にかかる浴室乾燥装置１００のコントローラ２００には、図９に示したように、「暖房運転」を操作する暖房ボタン２１０、「乾燥運転」を操作する乾燥ボタン２２０、「換気運転」を操作する換気ボタン２３０、「涼風乾燥運転」のみを操作する涼風ボタン２４０、「２４時間換気運転」を操作する２４時間換気ボタン２５０および浴室乾燥装置１００の電源停止をする停止ボタン２６０が設けられている。また、コントローラ２００には、夫々の運転における運転状態などを表示する表示部２７０、夫々の運転における開始時刻や運転時間を予約するための予約ボタン２８０、＋ボタン２９０および−ボタン３００が設けられている。
【００４２】
例えば、「暖房運転」を予約したい場合、まず使用者が予約ボタン２８０を一度押して表示部２７０に「暖房運転」の開始時刻を表示させる。次に＋ボタン２９０や−ボタン３００を押して「暖房運転」の開始時刻を決めた後、予約したい「暖房運転」である暖房ボタン２１０を押して「暖房運転」を設定する。その後、表示部２７０に運転時間が表示されるので、＋ボタン２９０や−ボタン３００を押して「暖房運転」の運転時間を決めた後、予約ボタン２８０を押して「暖房運転」の予約運転を確定させる。尚、「暖房運転」以外の「換気運転」、「涼風乾燥運転」においても、同様の方法によってその運転の予約運転を設定することができる。
【００４３】
「乾燥運転」を予約したい場合には、まず使用者が予約ボタン２８０を一度押して表示部２７０に「乾燥運転」の開始時刻を表示させる。次に＋ボタン２９０や−ボタン３００を押して「乾燥運転」の開始時刻を決めた後、予約したい「乾燥運転」である乾燥ボタン２２０を押して「乾燥運転」を設定する。その後、表示部２７０に運転時間が表示されるので、＋ボタン２９０や−ボタン３００を押して「乾燥運転」の運転時間を決める。所定時間が経過すると、表示部２７０に「温風乾燥運転」と「涼風乾燥運転」の時間比率が表示されるので、＋ボタン２９０や−ボタン３００を押してその時間比率を決める。そして、予約ボタン２８０を押して「暖房運転」の予約運転を確定させる。
【００４４】
本実施形態にかかる浴室乾燥装置１００では、ファン１３３の回転数を設定された回転数になるように制御する回転数制御手段とファン１３３の駆動時におけるファン１３３の回転数を検出する回転数検出手段とを有する制御手段１１０、回転数検出手段が検出したファン１３３の回転数が基準値に対して所定の範囲内にある時に、ファン１３３の回転数が安定状態であることを使用者に点灯して報知する表示部２７０のＡＭランプ３１０及びＰＭランプ３２０を備えている。本実施形態にかかる浴室乾燥装置１００では、報知手段として表示部２７０のＡＭランプ３１０及びＰＭランプ３２０を述べているが、それらの代わりに例えば浴室乾燥装置１００などに設けられた音声手段で使用者に報知しても良いものとする。
【００４５】
図１０〜１２に表されるように、「換気運転」において、使用者が換気ボタン２３０を所定時間長押すと、浴室乾燥装置１００は、コントローラ２２０の表示部２７０に設定されたファン１３３の回転数に対応する換気風量を点灯表示する。また、ファン１３３の回転数が第１範囲内（Ｎ６≦Ｎ≦Ｎ３）にある時には、表示部２７０のＡＭランプ３１０及びＰＭランプ３２０が点灯してファン１３３の回転数が安定状態であることを報知するため、使用者が換気風量の確認時に換気風量の測定を簡単に精度良く行える。本実施形態にかかる浴室乾燥装置１００では、「裏操作指示」として換気ボタン２３０の所定時間長押しを述べているが、コントローラに対する通常の操作以外の操作も含むものとする。
【００４６】
ファン１３３の回転数が第２範囲内（Ｎ５≦Ｎ＜Ｎ６、Ｎ３＜Ｎ≦Ｎ２）にある時には、表示部２７０のＡＭランプ３１０又はＰＭランプ３２０何れかを点灯してファン１３３の回転数が安定状態に近いことを報知する。また、ファン１３３の回転数が第３範囲内（Ｎ５Ｎ＜Ｎ５、Ｎ２＜Ｎ）にある時には、表示部２７０のＡＭランプ３１０又はＰＭランプ３２０何れかを点滅してファン１３３の回転数が安定状態から遠いことを報知する。このため、換気風量の確認時に換気風量がどの状態であるかどうか使用者が簡単に知ることができる。
【００４７】
本実施形態にかかる浴室乾燥装置１００では、回転数検出手段が検出したファン１３３の回転数が基準値に対して所定の範囲内にある時に、又は回転数検出手段が検出したファン１３３の回転数の単位時間あたりの変化量が所定の範囲内にある時に、ファン１３３の回転数が安定状態であることを使用者に報知する表示部２７０のＡＭランプ３１０及びＰＭランプ３２０を備えるため、換気装置の設置現場の換気風量が所定の換気風量を満たしているかどうか使用者が確認する際、換気風量の測定を簡単に精度良く行うことができる。
【００４８】
また、本実施形態にかかる浴室乾燥装置１００では、使用者が換気風量を測定する時に、ファン１３３の回転数が安定状態であることを使用者に報知する表示部２７０のＡＭランプ３１０及びＰＭランプ３２０が、コントローラ２００の換気ボタン２３０と共に設けられているので、ファン１３３の回転数が安定状態である旨を使用者が簡単に把握しやすい。また、使用者がコントローラ２００の表示部２７０を目視で確認しながら、換気風量の測定のタイミングを決定することが可能となるので、使用者が換気風量の測定をより簡単に行うことができる。
【００４９】
また、本実施形態にかかる浴室乾燥装置１００では、ファン１３３の回転数が安定状態である旨の表示を、使用者が換気風量を測定する時に表示させ、通常の使用時には表示されないため、通常の使用時における使用者の不必要な混乱を避けることが可能で使用者の使い勝手の良い。また、ファン１３３の回転数が安定状態である旨の表示を使用者が解除し忘れたとしても、所定時間が経過することによって、通常の使用状態に復帰するので、使用者の作業性を向上させることができる。
【００５０】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５１】
１０  ：浴室
１１  ：天井
１２  ：ダクト
１００：浴室乾燥装置
１０１ａ：第１の筐体
１０１ｂ：第２の筐体
１１０：制御手段
１２１：吸込口
１２３：吹出口
１２５：内部流路
１３１：センサ
１３３：ファン
１３３ａ：循環用ファン
１３３ｂ：換気用ファン
１３５：ダンパ
１３７：ヒータ
１２７：排出経路
２００：コントローラ
２１０：暖房ボタン
２２０：乾燥ボタン
２３０：換気ボタン
２４０：涼風ボタン
２５０：２４時間換気ボタン
２６０：停止ボタン
２７０：表示部
２８０：予約ボタン
２９０：＋ボタン
３００：−ボタン
３１０：ＡＭランプ
３２０：ＰＭランプ
【図１】
2014190651.tif 000003
【図２】
2014190651.tif 000004
【図３】
2014190651.tif 000005
【図４】
2014190651.tif 000006
【図５】
2014190651.tif 000007
【図６】
2014190651.tif 000008
【図７】
2014190651.tif 000009
【図８】
2014190651.tif 000010
【図９】
2014190651.tif 000011
【図１０】
2014190651.tif 000012
【図１１】
2014190651.tif 000013
【図１２】
2014190651.tif 000014